(57)【特許請求の範囲】
【請求項１】
セキュリティゲートの先に複数の号機の乗場が設けられ、上記セキュリティゲートを通過した利用者の行先階に基づいて上記各号機の中の最適な号機を応答させるエレベータの群管理システムにおいて、
上記セキュリティゲートの進入口付近に設置され、利用者が所持するセキュリティカードの情報を読み取る第１の読取り手段と、
この第１の読取り手段によって読み取られた上記セキュリティカードの情報に基づいて利用者を認証する認証手段と、
この認証手段によって正規の利用者と判定された場合にその利用者の行先階に基づいて上記各号機の中の最適な号機を割り当てる割当制御手段と、
上記セキュリティゲートの出口付近に設置された表示部と、
上記割当制御手段によって決定された割当号機に利用者を特定する情報を付して上記表示部に表示する表示制御手段と
を具備し、
上記セキュリティカードには、利用者のＩＤ番号および行先階の情報が記録されており、
上記表示制御手段は、
上記利用者を特定する情報として、上記ＩＤ番号および上記行先階のうちの少なくとも一方を上記表示部に表示し、
上記ＩＤ番号を表示する際に、上記ＩＤ番号の一部の情報のみを上記表示部に表示する
ことを特徴とするエレベータの群管理システム。
【請求項２】
セキュリティゲートの先に複数の号機の乗場が設けられ、上記セキュリティゲートを通過した利用者の行先階に基づいて上記各号機の中の最適な号機を応答させるエレベータの群管理システムにおいて、
上記セキュリティゲートの進入口付近に設置され、利用者が所持するセキュリティカードの情報を読み取る第１の読取り手段と、
この第１の読取り手段によって読み取られた上記セキュリティカードの情報に基づいて利用者を認証する認証手段と、
この認証手段によって正規の利用者と判定された場合にその利用者の行先階に基づいて上記各号機の中の最適な号機を割り当てる割当制御手段と、
上記セキュリティゲートの出口付近に設置された表示部と、
上記割当制御手段によって決定された割当号機に利用者を特定する情報を付して上記表示部に表示する表示制御手段と、
上記表示部の近くに設置され、利用者が所持するセキュリティカードの情報を読み取る第２の読取り手段と
を具備し、
上記表示制御手段は、
上記第２の読取り手段にて上記第１の読取り手段と同じセキュリティカードの情報が読み取られた場合に上記表示部に表示された情報を消去する
ことを特徴とするエレベータの群管理システム。
【請求項３】
セキュリティゲートの先に複数の号機の乗場が設けられ、上記セキュリティゲートを通過した利用者の行先階に基づいて上記各号機の中の最適な号機を応答させるエレベータの群管理システムにおいて、
上記セキュリティゲートの進入口付近に設置され、利用者が所持するセキュリティカードの情報を読み取る第１の読取り手段と、
この第１の読取り手段によって読み取られた上記セキュリティカードの情報に基づいて利用者を認証する認証手段と、
この認証手段によって正規の利用者と判定された場合にその利用者の行先階に基づいて上記各号機の中の最適な号機を割り当てる割当制御手段と、
上記セキュリティゲートの出口付近に設置された表示部と、
上記割当制御手段によって決定された割当号機に利用者を特定する情報を付して上記表示部に表示する表示制御手段と、
上記表示部の近くに設置され、利用者が所持するセキュリティカードの情報を読み取る第２の読取り手段と
を具備し、
上記表示制御手段は、
利用者が認証されてから一定時間経過しても上記第２の読取り手段にて上記セキュリティカードの読み取りがなかった場合には上記表示部に表示された情報を消去する
ことを特徴とするエレベータの群管理システム。
【発明の詳細な説明】
【技術分野】
【０００１】
本発明の実施形態は、セキュリティゲートと乗場行先階登録装置を備えたエレベータの群管理システムに関する。
【背景技術】
【０００２】
建物のセキュリティシステムとエレベータの群管理システムを連動させたシステムとして、セキュリティゲートと乗場行先階登録装置の連動システムがある。これは、例えば複数の事務所が入るオフィスビルなどの建物において、利用者が建物の基準階などに設置されたセキュリティゲートを通過する際に、利用者が持つセキュリティカードの情報を読み込んで、正当な利用者であると認証できた場合にゲートを開くと共に利用者の行先階を自動登録するシステムである。
【０００３】
ここで、利用者の行先階に応答する号機が決定されると、その号機（割当号機）の情報がゲート上に表示される。これにより、利用者はゲートを通過するときに自分が乗車すべき号機を確認でき、その号機の乗場前で待つことができる。
【先行技術文献】
【特許文献】
【０００４】
【特許文献１】特開２０１０−１８４７７７号公報
【発明の概要】
【発明が解決しようとする課題】
【０００５】
しかしながら、通常、ゲート上に表示された割当号機はすぐには消えず、ゲートを通過する利用者が確認できるように多少の間表示されているのが一般的である。このため、後続の利用者がゲートに入ったときに、直前の利用者の割当号機の表示が残っていることがあり、それを自分の号機と見間違えることがある。特に、出勤時間帯など、多数の利用者がゲートを通過する時間帯では、利用者が急いで通過するため、このような見間違いが生じやすい。
【０００６】
本発明が解決しようとする課題は、セキュリティゲートと乗場行先階登録装置の連動システムにおいて、利用者がセキュリティゲートを通過するときに割当号機の見間違えを防ぐことのできるエレベータの群管理システムを提供することである。
【課題を解決するための手段】
【０００７】
本実施形態に係るエレベータの群管理システムは、セキュリティゲートの先に複数の号機の乗場が設けられ、上記セキュリティゲートを通過した利用者の行先階に基づいて上記各号機の中の最適な号機を応答させるエレベータの群管理システムにおいて、上記セキュリティゲートの進入口付近に設置され、利用者が所持するセキュリティカードの情報を読み取る第１の読取り手段と、この第１の読取り手段によって読み取られた上記セキュリティカードの情報に基づいて利用者を認証する認証手段と、この認証手段によって正規の利用者と判定された場合にその利用者の行先階に基づいて上記各号機の中の最適な号機を割り当てる割当制御手段と、上記セキュリティゲートの出口付近に設置された表示部と、上記割当制御手段によって決定された割当号機に利用者を特定する情報を付して上記表示部に表示する表示制御手段とを具備し、上記セキュリティカードには、利用者のＩＤ番号および行先階の情報が記録されており、上記表示制御手段は、上記利用者を特定する情報として、上記ＩＤ番号および上記行先階のうちの少なくとも一方を上記表示部に表示し、上記ＩＤ番号を表示する際に、上記ＩＤ番号の一部の情報のみを上記表示部に表示することを特徴とする。
【図面の簡単な説明】
【０００８】
【図１】図１は一実施形態に係るセキュリティゲートと乗場行先階登録装置の連動システムの連動システムの構成を示す図である。
【図２】図２は同実施形態におけるセキュリティゲートに表示される割当号機と行先階の一例を示す図である。
【図３】図３は同実施形態におけるセキュリティゲートに表示される割当号機とＩＤ番号の一例を示す図である。
【図４】図４は同実施形態におけるエレベータの群管理システムの構成を示すブロック図である。
【図５】図５は同実施形態におけるエレベータの群管理システムに設けられたデータベースの一例を示す図である。
【図６】図６は同実施形態におけるエレベータの群管理システムの動作を示すフローチャートである。
【発明を実施するための形態】
【０００９】
以下、図面を参照して実施形態を説明する。
【００１０】
まず、セキュリティゲートと乗場行先階登録装置の連動システムの構成について説明する。図１は一実施形態に係るセキュリティゲートと乗場行先階登録装置の連動システムの構成を示す図である。
【００１１】
オフィスビルなどの建物の基準階にセキュリティゲート１１が設置されている。このセキュリティゲート１１の出口側には、進入を阻止するための扉１２が開閉自在に取り付けられている。セキュリティゲート１１の進入口付近には、利用者が所持するセキュリティカード１０の情報を読み取る第１の読取り部１３が設けられている。このセキュリティカード１０には、利用者を識別するための数桁のＩＤ（identification）番号と、その利用者の属性情報として行先階（利用階）の情報が予め記録されている。
【００１２】
また、セキュリティゲート１１の出口付近には、第２の読取り部１４と表示部１５が設けられている。第２の読取り部１４は、表示部１５の近くに設置されており、第１の読取り部１３と同様にセキュリティカード１０の情報を読み取る。なお、読取り部１３，１４は、所謂「カードリーダー」であり、電磁誘導方式などによりセキュリティカード１０の情報を非接触で読み取る機能を有する。
【００１３】
表示部１５は、液晶パネルなどからなり、割当号機と利用者を特定する情報を表示する。利用者を特定する情報とは、具体的にはセキュリティカード１０に記録されているＩＤ番号または属性情報としてＩＤ番号と共に記録されている行先階のことである。
【００１４】
図２は割当号機と行先階の表示例を示す図である。この例では、割当号機として「Ｂ号機」、行先階として「５Ｆ」といった情報が表示されている。図３は割当号機とＩＤ番号の表示例を示す図である。この例では、割当号機として「Ｂ号機」、ＩＤ番号として「＊＊＊＊＊０１１」といった情報が表示されている。なお、ＩＤ番号については他人に知られないように一部（例えば下３桁）の番号のみを表示するものとする。
【００１５】
一方、セキュリティゲート１１の先には、複数の号機の乗場２０が設けられている。図１の例では、Ａ〜Ｄ号機の４台が並設されている。セキュリティゲート１１を通過した利用者は、この乗場１６にて自分に割り当てられた号機を持つ。
【００１６】
このような構成において、利用者がセキュリティゲート１１を通過するときに、第１の読取り部１３にセキュリティカード１０をかざすと、そのセキュリティカード１０に記録されたＩＤ番号により利用者が認証される。正規の利用者であれば、セキュリティゲート１１の扉１２が開き、利用者はエレベータの乗場２０まで行くことができる。
【００１７】
一方、セキュリティカード１０にＩＤ番号と共に記録されていた利用者の行先階が自動登録され、複数の号機の中から最適な号機が割り当てられる。その際、本実施形態では、表示部１５に割当号機と共に利用者を特定する情報（行先階またはＩＤ番号）が表示される。
【００１８】
以下に、上記連動システムを実現するエレベータの群管理システムの具体的な構成について説明する。
【００１９】
図４はエレベータの群管理システムの構成を示すブロック図である。なお、図１と同一部分には同じ符号を付して、その詳しい説明は省略するものとする。
【００２０】
建物の基準階にセキュリティゲート１１が設置されており、そのセキュリティゲート１１の通過先に各号機のエレベータの乗場２０がある。セキュリティゲート１１には、図１に示した扉１２、第１の読取り部１３、第２の読取り部１４、表示部１５の他に、扉１２を開閉駆動する駆動部１６、群管理制御装置２１との間で情報を送受信するための通信部１７などが設けられている。
【００２１】
群管理制御装置２１は、各号機の運転を群管理制御するための装置である。本実施形態において、この群管理制御装置２１には、記憶部２２、認証部２３、割当制御部２４、表示制御部２５が備えられている。なお、ここでは便宜上、記憶部２２、認証部２３、割当制御部２４、表示制御部２５の全てを群管理制御装置２１に配置して記述したが、必ずしも同一装置に配置する必要はなく、別々の装置に配置する構成であっても良い。
【００２２】
記憶部２２には、図５に示すような利用者管理用のデータベース２２ａが設けられている。このデータベース２２ａには、エレベータの利用が許可された各利用者に与えられた数桁のＩＤ番号とその利用者の行先階の情報が対応付けて記憶されている。
【００２３】
認証部２２は、セキュリティゲート１１の第１の読取り部１３によって読み取られたセキュリティカード１０の情報に基づいて、セキュリティゲート１１を通過する利用者を認証する。詳しくは、セキュリティカード１０に記録されたＩＤ番号とデータベース２２ａに記憶されたＩＤ番号との照合により正規の利用者か否かを判別する。
【００２４】
割当制御部２４は、記憶部２２によって正規の利用者と判定された場合に、セキュリティカード１０に記録された利用者の行先階に基づいて各号機の中の最適な号機を割り当てる。
【００２５】
表示制御部２５は、割当制御部２４によって決定された割当号機に当該利用者を特定する情報を付してセキュリティゲート１１の表示部１５に表示する。利用者を特定する情報とは、セキュリティカード１０に記録されたＩＤ番号および行先階であり、このうちの少なくとも一方を割当号機と共に表示部１５に表示する。また、表示制御部２５は、第２の読取り部１４にて同じセキュリティカード１０の情報が読み取られたとき、あるいは、利用者の認証後に一定時間経過したときに表示部１５に表示された情報を消去する。
【００２６】
また、この群管理制御装置２１には、各号機（ここではＡ〜Ｄ号機）に対応した号機制御装置３１ａ，３１ｂ，３１ｃ，３１ｄが接続されている。これらの号機制御装置３１ａ，３１ｂ，３１ｃ，３１ｄは、それぞれに個別に各号機の運転を制御するための装置である。具体的には、乗りかご３２ａ，３２ｂ，３２ｃ，３２ｄを昇降動作させるためのモータの制御やドアの開閉制御などを行う。
【００２７】
次に、本実施形態の動作を説明する。
【００２８】
図６はエレベータの群管理システムの動作を示すフローチャートである。なお、このフローチャートで示される処理は、コンピュータである群管理制御装置２１によって実行される。
【００２９】
利用者がセキュリティゲート１１の入口付近に設置された第１の読取り部１３にセキュリティカード１０をかざすと、そのセキュリティカード１０の情報が非接触で読み取られて群管理制御装置２１に転送される（ステップＳ１１のＹｅｓ）。これにより、群管理制御装置２１では、まず、認証部２３を通じて利用者のＩＤ照合を行う（ステップＳ１２）。すなわち、セキュリティカード１０に記録されたＩＤ番号とデータベース２２ａに記憶されたＩＤ番号と照合して正規の利用者か否かを判別する。
【００３０】
ＩＤ番号が一致せず、正規の利用者でないと判定された場合には（ステップＳ１３のＮｏ）、セキュリティゲート１１の扉１２はロック（閉門）されたままにある。したがって、利用者はセキュリティゲート１１を通ってエレベータの乗場２０に行くことはできない。
【００３１】
一方、ＩＤ番号が一致し、正規の利用者であると判定された場合には（ステップＳ１３のＹｅｓ）、セキュリティゲート１１の駆動部１６を通じて扉１２が開門される（ステップＳ１４）。また、正規の利用者であった場合には、その利用者のセキュリティカード１０にＩＤ番号と共に記録されていた行先階の情報が割当制御部２４に送られる。割当制御部２４では、この行先階の情報を乗場呼びとして登録した後（ステップＳ１５）、各号機の中の最適な号機に上記乗場呼びを割り当てる（ステップＳ１６）。なお、この割当制御については一般的に知らせている方法を用いるものとし、ここではその詳しい説明は省略するものとする。
【００３２】
割当号機が決定されると、表示制御部２５は、その割当号機と共に利用者を特定する情報として行先階またはＩＤ番号の一部をセキュリティゲート１１の表示部１５に転送し、これらの情報を所定の表示形態で表示する（ステップＳ１７）。
【００３３】
図２に割当号機と行先階の表示例、図３は割当号機とＩＤ番号の表示例を示す。どちらの例も２つの情報を上下に表示しているが、左右に表示することでも良い。要はセキュリティゲート１１を通過する利用者が表示部１５の画面上で割当号機と自分の行先階またはＩＤ番号を同時に視認できれば、どのような表示形態であっても良い。
【００３４】
また、表示部１５の近くに設置された第２の読取り部１４にて同じ利用者のセキュリティカード１０の情報が読み取られると（ステップＳ１８）、表示制御部２５は、これを表示消去の指示として受け取り、セキュリティゲート１１の表示部１５に表示されている情報（割当号機と行先階またはＩＤ番号）を消去する（ステップＳ２０）。
【００３５】
一方、利用者を認証後、セキュリティカード１０の読取りがない状態で一定時間経過しした場合には（ステップＳ１９のＹｅｓ）、表示制御部２５は、利用者が第２の読取り部１４でセキュリティカード１０をかざし忘れて通過したものと判断し、セキュリティゲート１１の表示部１５に表示されている情報を消去する（ステップＳ２０）。なお、何らかの理由で利用者がセキュリティゲート１１を通過せずに戻ってしまった場合でも同様であり、一定時間経過後に表示部１５の情報が消去される。
【００３６】
このように、利用者がセキュリティゲート１１を通過する際に、割当号機にその利用者を特定する情報を付してセキュリティゲート１１の表示部１５に表示することで、利用者は自分に割り当てられた号機であることを認識することできる。したがって、混雑時に多数の利用者がセキュリティゲート１１を通る場合に、直前に通った利用者に対する割当号機の表示が残っていても、自分の割当号機と見間違えて乗場２０に行ってしまうことを防ぐことができる。
【００３７】
さらに、割当号機の表示をセキュリティカード１０の２度の読取りにより消去することができるため、後続の利用者が見間違えることを確実に防ぐことができる。また、セキュリティカード１０の２度の読取りがなくとも、一定時間経過後には自動的に消去される。したがって、例えば利用者がセキュリティゲート１１の第２の読取り部１４を素通りしてしまったり、エレベータの乗場２０には行かずに途中で戻ってしまったような場合に、同じ利用者に対する割当号機の情報が表示されている状態をなくして、後続利用者の見間違えを防止することができる。
【００３８】
なお、上記実施形態では、図２および図３に示したように、割当号機と共に行先階またはＩＤ番号を表示する構成としたが、行先階とＩＤ番号の両方を表示するようにしても良い。このようにすれば、利用者が自分の割当号機をより確実に認識できるようになる。なお、この場合もＩＤ番号については、すべてを表示するのではなく、一部のみを表示することで、他人にＩＤ番号を知られることを防ぐものとする。
【００３９】
以上述べた少なくとも１つの実施形態によれば、セキュリティゲートと乗場行先階登録装置の連動システムにおいて、利用者がセキュリティゲートを通過するときに割当号機の見間違えを防ぐことのできるエレベータの群管理システムを提供することができる。
【００４０】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１０…セキュリティカード、１１…セキュリティゲート、１２…扉、１３…第１の読取り部、１４…第２の読取り部、１５…表示部、１６…駆動部、１７…通信部、２０…乗場、２１…群管理制御装置、２２…記憶部、２２ａ…データベース、２３…認証部、２４…割当制御部、２５…表示制御部、３１ａ，３１ｂ，３１ｃ，３１ｄ…号機制御装置、３２ａ，３２ｂ，３２ｃ，３２ｄ…乗りかご。
【図１】
0005885978.tif 000002
【図２】
0005885978.tif 000003
【図３】
0005885978.tif 000004
【図４】
0005885978.tif 000005
【図５】
0005885978.tif 000006
【図６】
0005885978.tif 000007